(57)【要約】【課題】移動局の機種に応じたサービスを提供する。【解決手段】ＲＮＣ１０１からサービスを受ける移動局１０３−１〜１０３−２によって、当該移動局１０３−１〜１０３−２が有する機種を識別するための機種識別情報がＲＮＣ１０１へ送信され、ＲＮＣ１０１にて、移動局１０３−１〜１０３−２から送信されてきた機種識別情報に基づいて、当該移動局１０３−１〜１０３−２へ提供するサービスが判定される。【選択図】図１
2007235845.tif 000002
【特許請求の範囲】
【請求項１】
無線端末である移動局と、該移動局と基地局を介して接続され、該移動局を制御し、該移動局へサービスを提供する無線ネットワーク制御装置とを有する移動体通信システムにおいて、
前記移動局は、当該移動局が有する機種を識別するための機種識別情報を前記無線ネットワーク制御装置へ送信し、
前記無線ネットワーク制御装置は、前記移動局から送信されてきた機種識別情報に基づいて、当該移動局へ提供するサービスを判定することを特徴とする移動体通信システム。
【請求項２】
請求項１に記載の移動体通信システムにおいて、
前記移動局は、前記機種識別情報を前記移動局と前記無線ネットワーク制御装置との間のコネクション確立を行うためのメッセージに含めて前記無線ネットワーク制御装置へ送信することを特徴とする移動体通信システム。
【請求項３】
請求項１に記載の移動体通信システムにおいて、
前記無線ネットワーク制御装置は、前記移動局へサービスの提供を開始する際に、前記移動局へ前記機種識別情報の送信を要求し、
前記移動局は、前記無線ネットワーク制御装置から前記機種識別情報の送信が要求された場合、前記機種識別情報を前記無線ネットワーク制御装置へ送信することを特徴とする移動体通信システム。
【請求項４】
請求項１乃至３のいずれか１項に記載の移動体通信システムにおいて、
前記無線ネットワーク制御装置は、前記移動局が固有に有する識別番号と前記機種識別情報とを対応付けて格納する記憶手段を有することを特徴とする移動体通信システム。
【請求項５】
請求項４に記載の移動体通信システムにおいて、
前記記憶手段は、前記機種識別情報と前記移動局へ提供するサービス内容を示すサービス情報とを対応付けて格納することを特徴とする移動体通信システム。
【請求項６】
移動局の機種を識別する機種識別情報を送信する移動局と基地局を介して接続され、前記移動局を制御し、該移動局へサービスを提供する無線ネットワーク制御装置であって、
前記移動局から送信されてきた機種識別情報に基づいて、当該移動局へ提供するサービスを判定する無線ネットワーク制御装置。
【請求項７】
請求項６に記載の無線ネットワーク制御装置において、
前記移動局へサービスの提供を開始する際に、前記移動局へ前記機種識別情報の送信を要求することを特徴とする無線ネットワーク制御装置。
【請求項８】
請求項６または請求項７に記載の無線ネットワーク制御装置において、
前記移動局が固有に有する識別番号と前記機種識別情報とを対応付けて格納する記憶手段を有することを特徴とする無線ネットワーク制御装置。
【請求項９】
請求項８に記載の無線ネットワーク制御装置において、
前記記憶手段は、前記機種識別情報と前記移動局へ提供するサービス内容を示すサービス情報とを対応付けて格納することを特徴とする無線ネットワーク制御装置。
【請求項１０】
無線ネットワーク制御装置と基地局を介して接続され、前記無線ネットワーク制御装置によって制御され、サービスを提供される移動局であって、
当該移動局が有する機種を識別するための機種識別情報を前記無線ネットワーク制御装置へ送信する移動局。
【請求項１１】
請求項１０に記載の移動局において、
前記機種識別情報を前記移動局と前記無線ネットワーク制御装置との間のコネクション確立を行うためのメッセージに含めて送信することを特徴とする移動局。
【請求項１２】
請求項１０に記載の移動局において、
前記無線ネットワーク制御装置から前記機種識別情報の送信が要求された場合、前記機種識別情報を前記無線ネットワーク制御装置へ送信することを特徴とする移動局。
【請求項１３】
無線端末である移動局に対して無線ネットワーク制御装置から基地局を介してサービスを提供するサービス提供方法であって、
前記移動局が、当該移動局が有する機種を識別するための機種識別情報を前記無線ネットワーク制御装置へ送信する処理と、
前記無線ネットワーク制御装置が、前記移動局から送信されてきた機種識別情報に基づいて、当該移動局へ提供するサービスを判定する処理とを有するサービス提供方法。
【請求項１４】
請求項１３に記載のサービス提供方法において、
前記移動局が、前記機種識別情報を前記移動局と前記無線ネットワーク制御装置との間のコネクション確立を行うためのメッセージに含めて前記無線ネットワーク制御装置へ送信する処理を有することを特徴とするサービス提供方法。
【請求項１５】
請求項１３に記載のサービス提供方法において、
前記無線ネットワーク制御装置が、前記移動局へサービスの提供を開始する際に、前記移動局へ前記機種識別情報の送信を要求する処理と、
前記移動局が、前記無線ネットワーク制御装置から前記機種識別情報の送信が要求された場合、前記機種識別情報を前記無線ネットワーク制御装置へ送信する処理とを有することを特徴とするサービス提供方法。
【発明の詳細な説明】
【技術分野】
【０００１】
本発明は、移動体通信システム、無線ネットワーク制御装置及び移動局に関し、また、移動局へ無線ネットワーク制御装置がサービスを提供するサービス提供方法に関する。
【背景技術】
【０００２】
近年、携帯電話を中心とした移動体通信システムが広く普及してきている。その移動体通信システムの中で、昨今では、ＩＴＵ（Ｉｎｔｅｒｎａｔｉｏｎａｌ  Ｔｅｌｅｃｏｍｍｕｎｉｃａｔｉｏｎ  Ｕｎｉｏｎ：国際電気通信連合）によってＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）が、第三世代移動体通信システムの規格として標準化されている。
【０００３】
例えば、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）は、第三世代移動体通信システムの代表的な１つの方式であり、ＩＭＴ−２０００の日欧標準案として提案されたものである。
【０００４】
図９は、Ｗ−ＣＤＭＡ方式の移動体通信システムの従来の構成の一例を示す図である。
【０００５】
図９に示した移動体通信システムは、ＣＮ（Ｃｏｒｅ  Ｎｅｔｗｏｒｋ）９０１と、無線ネットワーク制御装置であるＲＮＣ（Ｒａｄｉｏ  Ｎｅｔｗｏｒｋ  Ｃｏｎｔｒｏｌｌｅｒ）９０２と、基地局（Ｎｏｄｅ  Ｂ）９０３と、移動局（ＵＥ：Ｕｓｅｒ  Ｅｑｕｉｐｍｅｎｔ）９０４とから構成されており、基地局９０３がカバーするエリアがセル９０５となっている。
【０００６】
ＲＮＣ９０２は、ＣＮ９０１と基地局９０３とに接続され、基地局９０３の制御を行い、無線リソースの管理やハンドオーバなど移動局９０３のモビリティ制御等を行う。基地局９０３は、ＲＮＣ９０２から制御され、また、セル９０５内に存在する移動局９０４と無線によって接続する。
【０００７】
Ｗ−ＣＤＭＡ方式の移動体通信システムでは、図９に示したＲＮＣ９０２と移動局９０３との間にＲＲＣ（Ｒａｄｉｏ  Ｒｅｓｏｕｒｃｅ  Ｃｏｎｔｒｏｌ）コネクションと呼ばれる接続が確立された後、発信や着信、位置登録など移動局９０３とネットワークとによって個別に制御信号のやりとりが行われる。そして、ＲＮＣ９０２によって、移動局９０４に対し、無線リソース管理やモビリティ制御などに関するサービスが提供される。
【０００８】
図１０は、上述したＲＲＣコネクションの確立手順を示すシーケンス図である。
【０００９】
まず、移動局９０４からＲＲＣコネクションの接続要求がＲＮＣ９０２へ送信される（ステップＳ１０１）。
【００１０】
移動局９０４から送信されたＲＲＣコネクションの接続要求がＲＮＣ９０２にて受信されると、ＲＮＣ９０２から移動局９０４との間のＲＲＣコネクションの起動が移動局９０４に指示される（ステップＳ１０２）。
【００１１】
その後、起動を指示された移動局９０４にてＲＲＣコネクションの起動が完了すると、ＲＲＣコネクションが起動した移動局９０４からＲＲＣコネクションの起動完了がＲＮＣ９０２へ通知される（ステップＳ１０３）。
【００１２】
上述したような移動体通信システムにおいては、無線ネットワーク制御装置が提供するサービスに対して、そのサービスを完全にサポートできない移動局が存在する場合がある。
【００１３】
例えば、無線ネットワーク制御装置にてこれまで提供されていたサービスに改良が加えられた場合、一部の古い機種である移動局に対してこれまで通りそのサービスを提供すること、あるいは、改良されたサービスを満足に提供することが困難になってしまう虞がある。
【００１４】
それにより生じた問題の一例を以下に挙げる。
【００１５】
ＢＲＡ（Ｂｉｔ  Ｒａｔｅ  Ａｄａｐｔａｔｉｏｎ）は、移動局との間のデータ転送速度をトラフィックなどの状況に応じて変更することによりスループット等を向上させる無線ネットワーク制御装置の回線制御技術である。この技術に関して、変更先のデータ転送速度のバリエーションを増やす内容の更新を無線ネットワーク制御装置に対して行った場合、一部の古い機種である移動局に対して、想定するデータ転送速度の変更を行えなくなってしまった。
【００１６】
また、無線ネットワーク制御装置側で、通信対象である移動局の機種によって提供するサービスの内容を変更したいという要求もある。
【００１７】
しかしながら、従来のＷ−ＣＤＭＡ方式の移動体通信システムにおいては、無線ネットワーク制御装置に対し、移動局からその移動局の機種に関する機種情報が通知されることはなく、無線ネットワーク制御装置は自らが管理する移動局の機種情報について知り得ないため、上述したような要求に対応して移動局の機種に応じたサービスの提供あるいはサービスの制限を行うことが困難である。この課題はＷ−ＣＤＭＡ方式の移動体通信システムのみにおけるものではない。
【００１８】
そこで、移動局を使用するユーザのユーザ情報に基づいて、送信されるＲＲＣメッセージの内容を変更する方法が考えられている（例えば、特許文献１参照。）。
【特許文献１】特開２００１−１６９３６２号公報
【発明の開示】
【発明が解決しようとする課題】
【００１９】
しかしながら、特許文献１に記載された方法においては、送信されるユーザ情報は、ＲＲＣ  ＣｏｎｎｅｃｔｉｏｎメッセージのＴＭＳＩまたはＰ−ＴＭＳＩまたはＩＭＳＩまたはＩＭＥＩの情報であり、移動局自体の情報を示すＩＭＥＩについては送信優先順位が最も低いため、そのほとんどが送信されないという問題点がある。また、ＩＭＥＩは移動局固体の情報であり、サービスの提供を識別するための情報として利用することが困難であり、そのため常に機種に応じたサービスの提供を受けるということはできないという問題点がある。また、上述したユーザ情報の送信タイミングは、ＲＲＣコネクション確立の際のみであるため、無線ネットワーク制御装置があるサービスの提供を始めようとするときに、移動局の機種情報が得られない虞があるという問題点がある。
【００２０】
本発明は、上述したような従来の技術が有する問題点に鑑みてなされたものであって、無線ネットワーク制御装置が、移動局の機種に応じたサービスを提供することができる移動体通信システム、無線ネットワーク制御装置、移動局及びこれらを用いたサービス提供方法を提供することを目的とする。
【課題を解決するための手段】
【００２１】
上記目的を達成するために本発明は、
無線端末である移動局と、該移動局と基地局を介して接続され、該移動局を制御し、該移動局へサービスを提供する無線ネットワーク制御装置とを有する移動体通信システムにおいて、
前記移動局は、当該移動局が有する機種を識別するための機種識別情報を前記無線ネットワーク制御装置へ送信し、
前記無線ネットワーク制御装置は、前記移動局から送信されてきた機種識別情報に基づいて、当該移動局へ提供するサービスを判定することを特徴とする。
【００２２】
また、前記移動局は、前記機種識別情報を前記移動局と前記無線ネットワーク制御装置との間のコネクション確立を行うためのメッセージに含めて前記無線ネットワーク制御装置へ送信することを特徴とする。
【００２３】
また、前記無線ネットワーク制御装置は、前記移動局へサービスの提供を開始する際に、前記移動局へ前記機種識別情報の送信を要求し、
前記移動局は、前記無線ネットワーク制御装置から前記機種識別情報の送信が要求された場合、前記機種識別情報を前記無線ネットワーク制御装置へ送信することを特徴とする。
【００２４】
また、前記無線ネットワーク制御装置は、前記移動局が固有に有する識別番号と前記機種識別情報とを対応付けて格納する記憶手段を有することを特徴とする。
【００２５】
また、前記記憶手段は、前記機種識別情報と前記移動局へ提供するサービス内容を示すサービス情報とを対応付けて格納することを特徴とする。
【００２６】
また、移動局の機種を識別する機種識別情報を送信する移動局と基地局を介して接続され、前記移動局を制御し、該移動局へサービスを提供する無線ネットワーク制御装置であって、
前記移動局から送信されてきた機種識別情報に基づいて、当該移動局へ提供するサービスを判定する。
【００２７】
また、前記移動局へサービスの提供を開始する際に、前記移動局へ前記機種識別情報の送信を要求することを特徴とする。
【００２８】
また、前記移動局が固有に有する識別番号と前記機種識別情報とを対応付けて格納する記憶手段を有することを特徴とする。
【００２９】
また、前記記憶手段は、前記機種識別情報と前記移動局へ提供するサービス内容を示すサービス情報とを対応付けて格納することを特徴とする。
【００３０】
また、無線ネットワーク制御装置と基地局を介して接続され、前記無線ネットワーク制御装置によって制御され、サービスを提供される移動局であって、
当該移動局が有する機種を識別するための機種識別情報を前記無線ネットワーク制御装置へ送信する。
【００３１】
また、前記機種識別情報を前記移動局と前記無線ネットワーク制御装置との間のコネクション確立を行うためのメッセージに含めて送信することを特徴とする。
【００３２】
また、前記無線ネットワーク制御装置から前記機種識別情報の送信が要求された場合、前記機種識別情報を前記無線ネットワーク制御装置へ送信することを特徴とする。
【００３３】
また、無線端末である移動局に対して無線ネットワーク制御装置から基地局を介してサービスを提供するサービス提供方法であって、
前記移動局が、当該移動局が有する機種を識別するための機種識別情報を前記無線ネットワーク制御装置へ送信する処理と、
前記無線ネットワーク制御装置が、前記移動局から送信されてきた機種識別情報に基づいて、当該移動局へ提供するサービスを判定する処理とを有する。
【００３４】
また、前記移動局が、前記機種識別情報を前記移動局と前記無線ネットワーク制御装置との間のコネクション確立を行うためのメッセージに含めて前記無線ネットワーク制御装置へ送信する処理を有することを特徴とする。
【００３５】
また、前記無線ネットワーク制御装置が、前記移動局へサービスの提供を開始する際に、前記移動局へ前記機種識別情報の送信を要求する処理と、
前記移動局が、前記無線ネットワーク制御装置から前記機種識別情報の送信が要求された場合、前記機種識別情報を前記無線ネットワーク制御装置へ送信する処理とを有することを特徴とする。
【００３６】
上記のように構成された本発明においては、無線ネットワーク制御装置からサービスを受ける移動局によって、当該移動局が有する機種を識別するための機種識別情報が無線ネットワーク制御装置へ送信され、無線ネットワーク制御装置にて、移動局から送信されてきた機種識別情報に基づいて、当該移動局へ提供するサービスが判定される。
【００３７】
これにより、移動局の機種によって無線ネットワーク制御装置が提供できるサービスに差分がある場合であっても、移動局から送信された機種識別情報により、無線ネットワーク制御装置が提供できるサービスのみを提供できる移動局のみに提供することができる。
【発明の効果】
【００３８】
以上説明したように本発明においては、無線ネットワーク制御装置からサービスを受ける移動局が、当該移動局が有する機種を識別するための機種識別情報を無線ネットワーク制御装置へ送信し、無線ネットワーク制御装置が、移動局から送信されてきた機種識別情報に基づいて、当該移動局へ提供するサービスを判定する構成としたため、無線ネットワーク制御装置が、移動局の機種に応じたサービスを提供することができる。
【発明を実施するための最良の形態】
【００３９】
以下に、本発明の実施の形態について図面を参照して説明する。
【００４０】
図１は、本発明の移動体通信システムの実施の一形態を示す図である。
【００４１】
本形態は図１に示すように、ＲＮＣ１０１と、基地局１０２と、移動局１０３−１〜１０３−２とから構成されている。ＲＮＣ１０１は、基地局１０２の制御を行う無線ネットワーク制御装置である。基地局１０２は、移動局１０３−１〜１０３−２との間において無線にて通信を行う。移動局１０３−１〜１０３−２は、基地局１０２のカバーするエリアに存在し、基地局１０２との間において無線にて通信を行う。また、移動局１０３−１〜１０３−２は、それぞれが具備する機能に差分があり、例えば、移動局１０３−１は、様々な最新の機能が具備された移動局であり、また、移動局１０３−２は、あまり機能が具備されていない古い移動局である。
【００４２】
図２は、図１に示したＲＮＣ１０１の一構成例を示す図である。
【００４３】
図１に示したＲＮＣ１０１は図２に示すように、通信制御部２０１と、記憶部２０２と、制御部２０３と、メインメモリ２０４と、これらを接続する内部バス２０５とから構成されている。なお、図２では、ＲＮＣ１０１の構成要素の中で、本発明に関する構成要素のみを示している。
【００４４】
通信制御部２０１は、図１に示した基地局１０２から送信される信号を受信し、また、基地局１０２へ信号を送信する。記憶部２０２は、制御部２０３がプログラムを実行する際に作業領域をして使用され、また、移動局１０３−１〜１０３−２の情報を格納する。メインメモリ２０４には、制御部２０３が実行するプログラム２４１が予め格納されている。制御部２０３は、これらを制御する。
【００４５】
また、記憶部２０２には、移動局１０３−１〜１０３−２が固有に有する識別番号であるＵＥＩＤ（Ｕｓｅｒ  Ｅｑｕｉｐｍｅｎｔ  ＩＤ）と、移動局１０３−１〜１０３−２の機種を識別するための機種識別情報であるＵＥ機種識別コードと、サービス内容を識別するための情報であるサービス情報とが格納されている。
【００４６】
図３は、図２に示した記憶部２０２に格納されるＵＥＩＤとＵＥ機種識別コードとの対応付けを示す図である。
【００４７】
図２に示した記憶部２０２には図３に示すように、移動局１０３−１〜１０３−２の各ＵＥＩＤと移動局１０３−１〜１０３−２の機種を識別するための番号であるＵＥ機種識別コードとが対応付けられて格納されている。ここでは、ＵＥＩＤが「０」である移動局は、ＵＥ機種識別コードが「Ａ」に対応付けられており、また、ＵＥＩＤが「１」である移動局は、ＵＥ機種識別コードが「Ｂ」に対応付けられており、また、ＵＥＩＤが「２」である移動局は、ＵＥ機種識別コードが「Ｂ」に対応付けられて格納されている。
【００４８】
図４は、図２に示した記憶部２０２に格納されるＵＥ機種識別コードと、それぞれの移動局１０３−１〜１０３−２に提供するサービス内容を識別するためのサービス情報との対応付けを示す図である。
【００４９】
図２に示した記憶部２０２には図４に示すように、移動局１０３−１〜１０３−２の機種を識別するための番号であるＵＥ機種識別コードと移動局１０３−１〜１０３−２に提供するサービス内容を識別するためのサービス情報とが対応付けられて格納されている。ここでは、ＵＥ機種識別コード「Ａ」には、サービス情報「α」が対応付けられており、また、ＵＥ機種識別コード「Ｂ」には、サービス情報「α」、「β」及び「γ」が対応付けられており、また、ＵＥ機種識別コード「Ｃ」には、サービス情報「β」、「γ」及び「δ」が対応付けられて格納されている。つまり、ＵＥ機種識別コード「Ａ」である移動局１０３−１〜１０３−２には、サービス「α」のみが提供可能である。また、ＵＥ機種識別コード「Ｂ」である移動局１０３−１〜１０３−２には、サービス「α」、「β」及び「γ」が提供可能である。また、ＵＥ機種識別コード「Ｃ」である移動局１０３−１〜１０３−２には、サービス「β」、「γ」及び「δ」が提供可能である。これにより、ＵＥ機種識別コードにより移動局１０３−１〜１０３−２に提供できるサービスが判定できる。
【００５０】
以下に、上記のように構成された移動体通信システムにおけるサービス提供方法について説明する。
【００５１】
まずは、図１〜２に示した移動体通信システムにおけるサービス提供方法のうち、ＲＮＣ１０１と移動局１０３−１〜１０３−２との間にＲＲＣコネクションが確立される際のＵＥ機種識別コードの格納方法について説明する。
【００５２】
図５は、図１〜２に示した移動体通信システムにおけるサービス提供方法のうち、ＲＮＣ１０１と移動局１０３−１〜１０３−２との間にＲＲＣコネクションが確立される際のＵＥ機種識別コードの格納方法を説明するためのシーケンス図である。
【００５３】
まず最初に、移動局１０３−１〜１０３−２からＲＲＣコネクションの接続要求がＲＮＣ１０１へ送信される（ステップＳ１）。ここで、従来のＲＲＣ  ＣＯＮＮＥＣＴＩＯＮ  ＲＥＱＵＥＳＴのメッセージに新たなパラメータであるＩＥ（Ｉｎｆｏｒｍａｔｉｏｎ  Ｅｌｅｍｅｎｔ）が追加されて送信される。このＩＥは、上述したＵＥ機種識別コードであり、移動局１０３−１〜１０３−２の機種を一意に識別するための情報である。ＵＥ機種識別コードの具体的なフォーマットについては、ここでは特に規定しない。
【００５４】
ＲＲＣ  ＣＯＮＮＥＣＴＩＯＮ  ＲＥＱＵＥＳＴとＩＥとが移動局１０３−１〜１０３−２から送信され、ＲＮＣ１０１の通信制御部２０１にて受信されると、制御部２０３によって、受信されたＩＥ、つまりＵＥ機種識別コードがＲＲＣ  ＣＯＮＮＥＣＴＩＯＮ  ＲＥＱＵＥＳＴに含まれるＵＥＩＤを用いて参照できる形で記憶部２０２に格納される（ステップＳ２）。説明の便宜上、図３に示した対応付けによって格納されるものが簡単であるが、例えば、ＵＥＩＤがキーとしたハッシュテーブルにＵＥ機種識別コードを値として格納される。これによって、ＲＮＣ１０１は、移動局１０３−１〜１０３−２の機種情報を要するサービスの提供時に、ＵＥＩＤを元にＵＥ機種識別コードを参照することが可能となる。
【００５５】
その後、ＲＮＣ１０１から移動局１０３−１〜１０３−２との間のＲＲＣコネクションの起動が移動局１０３−１〜１０３−２に指示され（ステップＳ３）、起動を指示された移動局１０３−１〜１０３−２にてＲＲＣコネクションの起動が完了すると、ＲＲＣコネクションが起動した移動局１０３−１〜１０３−２からＲＲＣコネクションの起動完了がＲＮＣ１０１へ通知される（ステップＳ４）。ここで、ステップＳ３〜Ｓ４の処理は、従来の処理と同様である。
【００５６】
次に、図１〜２に示した移動体通信システムにおけるサービス提供方法のうち、ＲＮＣ１０１が移動局１０３−１〜１０３−２に提供するサービスの判定方法について説明する。
【００５７】
図６は、図１〜２に示した移動体通信システムにおけるサービス提供方法のうち、ＲＮＣ１０１が移動局１０３−１〜１０３−２に提供するサービスの判定方法を説明するためのシーケンス図である。ここでは、ＲＲＣコネクション確立の際に、ＵＥ機種識別コードがＵＥＩＤを用いて参照できる形で記憶部２０２に格納されている（図５にて説明したステップＳ２の処理）ことが前提である。
【００５８】
ＲＮＣ１０１にて、ＲＲＣコネクション確立の際に記憶部２０２に格納されたＵＥ機種識別コードが、ＲＮＣ１０１と現在通信を行っている移動局１０３−１〜１０３−２のＵＥＩＤを元に参照され、制限の必要性など移動局１０３−１〜１０３−２に対するサービスの提供方法について判定処理が行われる（ステップＳ１１）。図４に示した対応付けにしたがって、移動局１０３−１〜１０３−２に提供するサービスが判定されても良い。
【００５９】
そして、判定されたＵＥ機種識別コードに依存したサービスが、ＲＮＣ１０１から移動局１０３−１〜１０３−２に提供される（ステップＳ１２）。
【００６０】
次に、ＲＲＣコネクション確立の際に、ＲＮＣ１０１によって移動局１０３−１〜１０３−２からＵＥ機種識別コードが取得されなかった場合のＲＮＣ１０１が移動局１０３−１〜１０３−２に提供するサービスの判定方法について説明する。まずは、移動局１０３−１〜１０３−２が自律的にＵＥ機種識別コードをＲＮＣ１０１へ通知する場合について説明する。
【００６１】
図７は、ＲＲＣコネクション確立の際に、ＲＮＣ１０１によって移動局１０３−１〜１０３−２からＵＥ機種識別コードが取得されず、移動局１０３−１〜１０３−２が自律的にＵＥ機種識別コードをＲＮＣ１０１へ通知する場合のＲＮＣ１０１が移動局１０３−１〜１０３−２に提供するサービスの判定方法を説明するためのシーケンス図である。
【００６２】
移動局１０３−１〜１０３−２から、当該移動局１０３−１〜１０３−２のＵＥ機種依存サービス実施の契機となるメッセージが送信される（ステップＳ２１）。このメッセージは、移動局１０３−１〜１０３−２のＵＥ機種識別コードが通知されるものである。
【００６３】
ＲＮＣ１０１にて、移動局１０３−１〜１０３−２から当該移動局１０３−１〜１０３−２のＵＥ機種識別コードが通知されると、通知されたＵＥ識別コードに基づいて、当該移動局１０３−１〜１０３−２に対するサービスが判定処理される（ステップＳ２２）。
【００６４】
そして、判定されたＵＥ機種識別コードに依存したサービスが、ＲＮＣ１０１から移動局１０３−１〜１０３−２に提供される（ステップＳ２３）。このとき、図５にて説明したステップＳ２の処理と同様に、ＵＥ機種識別コードが記憶部２０２に格納されても構わない。
【００６５】
次に、ＲＮＣ１０１によって移動局１０３−１〜１０３−２へＵＥ機種識別コードが要求された場合のＲＮＣ１０１が移動局１０３−１〜１０３−２に提供するサービスの判定方法について説明する。
【００６６】
図８は、ＲＲＣコネクション確立の際に、ＲＮＣ１０１によって移動局１０３−１〜１０３−２からＵＥ機種識別コードが取得されず、ＲＮＣ１０１が移動局１０３−１〜１０３−２へＵＥ機種識別コードを要求する場合のＲＮＣ１０１が移動局１０３−１〜１０３−２に提供するサービスの判定方法を説明するためのシーケンス図である。
【００６７】
まず、ＲＮＣ１０１によって、移動局１０３−１〜１０３−２に提供するサービスを判定するために、ＵＥ機種識別コードを要求するためのＵＥ機種識別コード要求メッセージが送信される（ステップＳ３１）。このＵＥ機種識別コード要求メッセージのフォーマットについては、ここでは特に規定しない。
【００６８】
ＲＮＣ１０１から送信されたＵＥ機種識別コード要求メッセージが、移動局１０３−１〜１０３−２にて受信されると、移動局１０３−１〜１０３−２から、当該移動局１０３−１〜１０３−２のＵＥ機種識別コード通知メッセージが送信される（ステップＳ３２）。このＵＥ機種識別コード通知メッセージは、移動局１０３−１〜１０３−２のＵＥ機種識別コードがＩＥとして通知されるものである。
【００６９】
ＲＮＣ１０１にて、移動局１０３−１〜１０３−２から当該移動局１０３−１〜１０３−２のＵＥ機種識別コードが通知されると、通知されたＵＥ識別コードに基づいて、当該移動局１０３−１〜１０３−２に対するサービスが判定処理される（ステップＳ３３）。
【００７０】
そして、判定されたＵＥ機種識別コードに依存したサービスが、ＲＮＣ１０１から移動局１０３−１〜１０３−２に提供される（ステップＳ３４）。このとき、図５にて説明したステップＳ２の処理と同様に、ＵＥ機種識別コードが記憶部２０２に格納されても構わない。
【００７１】
なお、上述した例では、移動局の台数が２台で説明したが、移動局の台数は２台に限らないことは言うまでも無い。
【００７２】
以上により、移動局１０３−１〜１０３−２の機種によってＲＮＣ１０１が提供できるサービスに差分がある場合であっても、移動局１０３−１〜１０３−２のＵＥ機種識別コードにより、提供できるサービスのみを提供できる移動局１０３−１〜１０３−２のみに提供することができる。
【図面の簡単な説明】
【００７３】
【図１】本発明の移動体通信システムの実施の一形態を示す図である。
【図２】図１に示したＲＮＣの一構成例を示す図である。
【図３】図２に示した記憶部に格納されるＵＥＩＤとＵＥ機種識別コードとの対応付けを示す図である。
【図４】図２に示した記憶部に格納されるＵＥ機種識別コードと、それぞれの移動局に提供するサービス内容を識別するためのサービス情報との対応付けを示す図である。
【図５】図１〜２に示した移動体通信システムにおけるサービス提供方法のうち、ＲＮＣと移動局との間にＲＲＣコネクションが確立される際のＵＥ機種識別コードの格納方法を説明するためのシーケンス図である。
【図６】図１〜２に示した移動体通信システムにおけるサービス提供方法のうち、ＲＮＣが移動局に提供するサービスの判定方法を説明するためのシーケンス図である。
【図７】ＲＲＣコネクション確立の際に、ＲＮＣによって移動局からＵＥ機種識別コードが取得されず、移動局が自律的にＵＥ機種識別コードをＲＮＣへ通知する場合のＲＮＣが移動局に提供するサービスの判定方法を説明するためのシーケンス図である。
【図８】ＲＲＣコネクション確立の際に、ＲＮＣによって移動局からＵＥ機種識別コードが取得されず、ＲＮＣが移動局へＵＥ機種識別コードを要求する場合のＲＮＣが移動局に提供するサービスの判定方法を説明するためのシーケンス図である。
【図９】Ｗ−ＣＤＭＡ方式の移動体通信システムの従来の構成の一例を示す図である。
【図１０】従来のＲＲＣコネクションの確立手順を示すシーケンス図である。
【符号の説明】
【００７４】
１０１    ＲＮＣ
１０２    基地局
１０３−１〜１０３−２    移動局
２０１    通信制御部
２０２    記憶部
２０３    制御部
２０４    メインメモリ
２４１    制御プログラム
【図１】
2007235845.tif 000003
【図２】
2007235845.tif 000004
【図３】
2007235845.tif 000005
【図４】
2007235845.tif 000006
【図５】
2007235845.tif 000007
【図６】
2007235845.tif 000008
【図７】
2007235845.tif 000009
【図８】
2007235845.tif 000010
【図９】
2007235845.tif 000011
【図１０】
2007235845.tif 000012